(57)【要約】【課題】お年寄りや身体の不自由な方であっても、前記情報を容易に出力することができる認証再生システムを提供すること。【解決手段】認証を受ける被認証者を特定可能な情報の受付に基づいて本人認証を行うことで、該被認証者が該当する情報を再生する認証再生システムであって、被認証者の身体情報と、該被認証者が視聴可能な情報とが対応づけて登録された照合用記憶手段３と、前記被認証者を特定可能な情報として被認証者の身体情報を自動的に読み取る身体情報読み取り手段５０と、該身体情報読み取り手段５０により読み取られた身体情報と、前記照合用記憶手段３に登録されている身体情報との比較に基づいて、被認証者の認証を行う認証手段７と、該認証手段７によって認証された被認証者が該当する前記視聴可能な情報を、前記照合用記憶手段３から読み出して表示する情報表示手段５０と、から成り、前記情報表示手段５０は、表示情報を他者が視聴できないようにするための他者視聴防止機構を有する。【選択図】　　図１
2004054496.tif 000002
【特許請求の範囲】
【請求項１】
認証を受ける被認証者を特定可能な情報の受付に基づいて本人認証を行うことで、該被認証者が該当する情報を再生する認証再生システムであって、
被認証者の身体情報と、該被認証者が視聴可能な情報とが対応づけて登録された照合用記憶手段と、
前記被認証者を特定可能な情報として被認証者の身体情報を自動的に読み取る身体情報読み取り手段と、
該身体情報読み取り手段により読み取られた身体情報と、前記照合用記憶手段に登録されている身体情報との比較に基づいて、被認証者の認証を行う認証手段と、
該認証手段によって認証された被認証者が該当する前記視聴可能な情報を、前記照合用記憶手段から読み出して表示する情報表示手段と、
から成り、前記情報表示手段は、表示情報を他者が視聴できないようにするための他者視聴防止機構を有することを特徴とする認証再生システム。
【請求項２】
前記身体情報読み取り手段が、眼鏡型ディスプレイユニットであり、被認証者の身体情報として虹彩の画像を受け付けるための撮像手段を有する請求項１に記載の認証再生システム。
【請求項３】
前記情報表示手段が、眼鏡型ディスプレイユニットである請求項１または２に記載の認証再生システム。
【請求項４】
前記眼鏡型ディスプレイユニットは被認証者が前記眼鏡型ディスプレイユニットを装着したことを検出する検出センサを有し、該検出センサによる装着検出に基づいて前記虹彩の画像の読み取りを開始する請求項１〜３のいずれかに記載の認証再生システム。
【発明の詳細な説明】
【０００１】
【発明の属する技術分野】
本発明は個人に該当する情報を表示する際の認証再生システムに関する。
【０００２】
【従来の技術】
従来、ある個人が自らの該当する情報、例えば、自分の先祖の情報や、金融機関の口座残高情報などを出力したいときには、出力を行う人物がその本人であることを照明・認証するために、出力装置等においてユーザーＩＤや暗証番号などの入力を行い認証作業が行われるようになっている。
【０００３】
【発明が解決しようとする課題】
しかしながら、お年寄りや体の不自由な方が前記したような情報を出力する場合には、ユーザーＩＤや暗証番号を失念してしまったり、たとえユーザーＩＤや暗証番号を覚えていたとしても、パソコン等の入力装置を十分に扱える方は少ないことから、前記ユーザーＩＤや暗証番号の入力をうまく行えない場合があるという問題があった。
【０００４】
よって本発明は、上記問題点を解決するためになされたもので、お年寄りや身体の不自由な方であっても、前記情報を容易に出力することができる認証再生システムを提供することを目的としている。
【０００５】
【課題を解決するための手段】
本発明の認証再生システムは、認証を受ける被認証者を特定可能な情報の受付に基づいて本人認証を行うことで、該被認証者が該当する情報を再生する認証再生システムであって、
被認証者の身体情報と、該被認証者が視聴可能な情報とが対応づけて登録された照合用記憶手段と、
前記被認証者を特定可能な情報として被認証者の身体情報を自動的に読み取る身体情報読み取り手段と、
該身体情報読み取り手段により読み取られた身体情報と、前記照合用記憶手段に登録されている身体情報との比較に基づいて、被認証者の認証を行う認証手段と、
該認証手段によって認証された被認証者が該当する前記視聴可能な情報を、前記照合用記憶手段から読み出して表示する情報表示手段と、
から成り、前記情報表示手段は、表示情報を他者が視聴できないようにするための他者視聴防止機構を有することを特徴としている。
この特徴によれば、身体情報を予め登録しておくことで、被認証者が所定の操作をするだけで自動的に身体情報が読み取られ、被認証者が入手したい情報を入手出来るとともに、他者視聴防止機構により入手した情報を他者に見られてしまうことを極力防止できる。
【０００６】
本発明の認証再生システムは、前記身体情報読み取り手段が、眼鏡型ディスプレイユニットであり、被認証者の身体情報として虹彩の画像を受け付けるための撮像手段を有することが好ましい。
このようにすれば、被認証者は眼鏡型ディスプレイユニットを装着して虹彩画像を撮像することで、撮像された虹彩データによる認証が実施され、端末装置などで暗証番号などの入力を行なわなくとも認証を行うことができるために被認証者の利便性を向上できる。
【０００７】
本発明の認証再生システムは、前記情報表示手段が眼鏡型ディスプレイユニットであることが好ましい。
このようにすれば、被認証者以外の他者が出力映像や音声を視聴することを、著しく低減できるばかりか、故人の出力映像や音声を周囲の状況に惑わされることなく、集中して視聴できる。
【０００８】
本発明の認証再生システムは、前記眼鏡型ディスプレイユニットは被認証者が前記眼鏡型ディスプレイユニットを装着したことを検出する検出センサを有し、該検出センサによる装着検出に基づいて前記虹彩の画像の入力を開始することが好ましい。
このようにすれば、前記眼鏡型ディスプレイユニットを装着するのみでより簡便に虹彩の画像を入手することができることから被認証者の利便性を向上できる。
【０００９】
【発明の実施の形態】
以下、本発明の実施例を図面に基づいて説明する。
ここでは、被認証者を墓参者として、提供される情報を故人の情報として説明していく。
【００１０】
先ず、図１は本発明の認証再生システムの実施形態として墓参システムのブロック図を示し、この墓参システムは、記憶手段３、情報読み出し手段４、出力手段６、重要度判定手段７及び情報開示期限判別手段８で構成されている。
【００１１】
記憶手段３、情報読み出し手段４、重要度判定手段（認証手段）７及び情報開示期限判別手段８は中央制御装置２０に装備されており、インターネット中に配置された中央制御装置２０と家庭内の端末装置３０は光ファイバーケーブル等により接続されている。これにより、端末装置３０及び出力手段６は各家庭内に配置することが可能になる。
【００１２】
このシステムには各種の入力装置が端末装置３０に装備されており、文字情報を入力するキーボード（図示せず）、イメージ情報、音声情報を入力するビデオ入力装置（図示せず）等を有する。
【００１３】
これにより、故人データ、家系データ等に関する文字情報または故人の肖像、墓石、墓地の全景等に関するイメージ情報或いは故人の肉声、お経等に関する音声情報や墓参者の身体情報である虹彩データが入力装置により入力される。
【００１４】
また、端末装置３０には、身体情報読み取り手段としての後述する図６に示す墓参者以外の他者の情報視聴を防止する眼鏡型ディスプレイユニット５０も接続されている。
【００１５】
眼鏡型ディスプレイユニット５０は、ここでは身体情報読み取り手段として墓参者の虹彩を撮影することで墓参者を特定できるようになっているとともに、故人データ、家系データ等に関する文字情報または故人の肖像、墓石、墓地の全景等に関するイメージ情報或いは故人の肉声、お経等に関する音声情報等の情報を出力するようになっている。
【００１６】
照合用記憶手段としての記憶手段３は、磁気ディスク、ビデオディスク（図示せず）等を有し、前記各入力装置により入力される前記文字情報、イメージ情報及び音声情報を記憶可能に構成しているとともに、前記読み取られた虹彩を照合する際に必要となる虹彩データベースも併せて記憶されている。
【００１７】
虹彩データベースには、前記眼鏡型ディスプレイユニット５０により撮影された墓参者の身体情報である虹彩データと、墓参者本人の氏名や本実施例における重要度である故人との関係（故人から何親等の関係であるか）などの情報が関連づけて記憶されるようになっており、墓参者は自分の氏名や故人との関係等の各情報とともに虹彩データを虹彩データベースに予め登録するようになっている。
【００１８】
このように、墓参者が該当する重要度である故人から何親等であるかの情報と該墓参者の虹彩データとが対応付けて登録された記憶装置３内の虹彩データベースを有し、前記墓参者が故人から何親等であるかを特定可能な情報が墓参者の虹彩データであり、前記重要度判定手段（認証手段）は受付けた虹彩データを虹彩データベースの登録情報と照合して墓参者が故人から何親等の関係であるかを特定することで、墓参者の身体情報である虹彩データに基づいた墓参における重要度の判断がなされることで、レベルの高い墓参者になりすまして各情報の出力を受けようとすることを困難なものにできる。
【００１９】
次いで、情報読み出し手段４は、第１特定情報読み出し手段４ａ及び第２特定情報読み出し手段４ｂを有し、前記眼鏡型ディスプレイユニット５０から読み取られた虹彩のデータが、前記虹彩データベースに登録されている虹彩のデータであると判別された場合には、前記記憶手段３に記憶されている文字情報、イメージ情報或いは音声情報を一定条件下で読み出し可能に構成している。
【００２０】
出力手段６は、端末装置３０に接続されているプリンタ９と前記眼鏡型ディスプレイユニット５０とで構成され、前記各情報を単独に、あるいは複合的に（例えば、文字情報とイメージ情報を合わせて）表示可能に構成されている。このプリンタ９は前記文字情報、或いは本墓参システムを使用した際の個人の墓参の頻度等の情報が出力されるように構成されている。
【００２１】
重要度判定手段（認証手段）７は、墓参者の前記眼鏡型ディスプレイユニット５０で読み取られた虹彩のデータが虹彩データベースで照合されて、墓参者が故人に対してどのような関係なのかその重要度によって判別・認証するように構成されており、この重要度判定手段７によって判別される虹彩のデータに対応して、前記第１特定情報読み出し手段４ａからは重要度によってランク付けされている前記文字情報、イメージ情報或いは音声情報が読み出される。
【００２２】
情報開示期限判別手段８は、前記文字情報、イメージ情報或いは音声情報の開示期限を判別するように構成されており、この情報開示期限判別手段８によって判別される開示期限に対応して、前記第２特定情報読み出し手段４ｂからは開示期限によってランク付けされている前記文字情報、イメージ情報或いは音声情報が読み出される。
【００２３】
次いで、本実施例に用いた情報表示手段、身体情報読み取り手段としての前記眼鏡型ディスプレイユニット５０の構成について図６、７に基づいて説明すると、眼鏡型ディスプレイユニット５０は、前記文字情報、イメージ情報或いは音声情報の出力や前記墓参者の虹彩情報を読み取る左右方向に一対に設けられている入出力部５１と、入出力部５１の両側端に一対で設けられている柄部５２とから構成されている。
【００２４】
入出力部５１には、一対の映像表示モジュール６２と、映像表示モジュール６２を内蔵するための外装５０ａと、から構成されており、映像表示モジュール６２は、電子部品や制御回路を搭載した基板６０と、映像表示をする液晶パネル５５と、液晶パネル５５を照明するバックライト５６と、映像情報を眼の方向に導くハーフミラー５７と、後述する虹彩情報を撮影する撮像手段としてのＣＣＤカメラ５８と、ＣＣＤカメラ５８で撮影を行う際の光源として発光するＬＥＤ５９と、塵埃等の侵入を防止する透明な平板からなる透明窓５０ｂとから構成されている。
【００２５】
ハーフミラー５７は、片側が半透明になっているとともに、もう片側が鏡面となっていて、前記液晶パネル５８から下向きに映写された画像がハーフミラー５７で反射して視界にちょうど入るような角度で傾斜して設けられている。
【００２６】
また、ＣＣＤカメラ５８は、前記虹彩データベースに登録者の虹彩のデータを登録する際や、後述する本人認証を行う際に、認証を受ける人の虹彩の撮影を行うようになっている。
【００２７】
一方柄部５２は、前記入出力部５１の上部側端に図示しない回転軸を介して回動自在に折り畳み出来るように取着されていて、柄部５２の回転軸と反対の端部には音声を出力可能なスピーカ５３が設けられているとともに、柄部５２から外部に突出するようにして映像音声信号用ケーブル５４が設けられている。
【００２８】
また、左右の入出力部５１、５１の間には前記眼鏡型ディスプレイユニット５０を支えるための鼻に当接するパッド７１が設けられていて、このパッド７１の鼻への当接面には皮膚との接触を検出する検出センサ７２が設けられている。
【００２９】
眼鏡型ディスプレイユニット５０で撮影を行う際には、眼鏡型ディスプレイユニット５０を頭部所定位置に装着して、その際に前記パッド７１の検出センサ７２と鼻の皮膚とが接触すると、前記ＬＥＤ５９が発光するとともに、ＬＥＤ５９が発光している状態でＣＣＤカメラ５８で撮影を行うようになっており、撮影された虹彩のデータは、前記記憶装置３内の虹彩データベース内に撮影を行った人物の名前や故人との関係などのデータと対応づけて記憶されるようになっている。
【００３０】
このように、前記眼鏡型ディスプレイユニット５０の前記パッド７１に眼鏡型ディスプレイユニット５０を装着したことを検出する検出センサ７２を設けることで、前記眼鏡型ディスプレイユニットを装着するのみでより簡便に虹彩の画像を入手することができ、墓参者の利便性を向上できることから好ましいが、本発明はこれに限定されるものではなく、例えば、検出センサ７２を設けずにカメラのシャッタにあたる撮影スイッチを設けるようにして、撮影を行う者の準備が整ってから該撮影スイッチを操作して虹彩の撮影を行うようにしてもよく、このようにすれば、前記眼鏡型ディスプレイユニット５０の装着時に撮影を行う者が誤って目を閉じてしまい、認証が失敗してしまうことがなくなる。
【００３１】
また、この眼鏡型ディスプレイユニット５０は、前記虹彩データの読み取り装置として設けられているとともに、故人の情報を出力する情報表示手段としても設けられており、眼鏡型ディスプレイユニット５０を頭部に装着することで、イメージ情報や文字情報が再生されるとともに、柄部５２に設けられているスピーカ５３を耳に設けることで、音声情報が再生されるようになっている。
【００３２】
また、眼鏡型ディスプレイユニット５０は、眼鏡状の形状となっており、各情報の出力時には眼鏡を掛けるような状態で映像表示モジュール５１やスピーカ５３から眼前や耳に情報が出力されるため、出力される映像や音声等が外に漏れることがなく、墓参者以外の他人に出力される各データが視聴されることを極力防止できるようになっている。
【００３３】
また、本実施例の出力手段として、前記他者視聴防止機構を有する前記眼鏡型ディスプレイユニットを有することで、墓参者以外の他者が出力映像や音声を視聴することを、著しく低減できるばかりか、故人の出力映像や音声を周囲の状況に惑わされることなく、集中して視聴できることから好ましいが、本発明はこれに限定されるものではなく、ヘルメット型など眼前と耳を覆うようにして前記各種の情報が出力されるような出力装置を用いるようにしても良い。
【００３４】
ここで、前記虹彩データベースに予め登録される虹彩データの登録手順について説明すると、まず、登録したい人の身柄を照明する書類などを端末装置３０に設けられている図示しないスキャナ等で読み取り、読み取ったデータをデータ化するとともに、キーボードなどを用いて登録必要な事項である墓参者本人の氏名、住所、故人との関係などを入力し、先ほどデータ化した墓参者本人データと照合して、墓参者本人であることの確認を行う。
【００３５】
次いで、眼鏡型ディスプレイユニット５０を頭に掛け、検出センサ７２と鼻の皮膚とが接触すると、接触した旨の信号が検出センサ７２から前記端末装置３０へ出力され、この信号の受信に基づき、前記端末装置３０から虹彩データ読み取り要求が出されて、眼鏡型ディスプレイユニット５０内に内蔵されている前記ＣＣＤカメラ５８により登録者の虹彩データが撮影されて、端末装置３０へ読取り込まれる。
【００３６】
撮影された虹彩データは端末装置３０から中央制御装置２０へ送信されて、先ほど読み出された墓参者本人の情報と対応づけて、前記記憶装置３内の虹彩データベースに登録されるようになっている。
【００３７】
本実施例では、墓参者本人が予め虹彩データを登録しておくようになっているが、例えば、墓参したその際に、新たに虹彩を登録できるようになっていてもよい。
【００３８】
このように、前記眼鏡型ディスプレイユニット５０は、墓参者の身体情報として虹彩のデータを撮影するためのＣＣＤカメラ５８を有することで、墓参者は眼鏡型ディスプレイユニットを装着して虹彩画像を撮像することで、撮像された虹彩データによる認証が実施され、入力装置などで暗証番号などの入力を行なわなくとも認証を行うことができるために墓参者の利便性を向上できる。
【００３９】
次に、墓参システムの機能を図２〜７に基づいて説明する。
まず、墓参に関する文字情報、イメージ情報或いは音声情報を入力する際の処理について、図２のフローチャートに基づいて説明する。
【００４０】
まず、ステップＳ１００では、前記眼鏡型ディスプレイユニット５０で墓参者の虹彩を撮影し、撮影された虹彩データが前記虹彩データベースに登録されているかを判定し、登録されていると判定された場合には情報の入力操作が可能となる。そして、ステップＳ１０１で前記文字情報、イメージ情報或いは音声情報のうちどの情報を入力するかを選択する。
【００４１】
次に、ステップＳ１０２で故人データ、家系データ等に関する文字情報を入力し、ステップＳ１０３でその文字情報に重要度または開示期限によってランク付けを行う。
【００４２】
例えば、図３（ア）に示すように、自分の家系図を入力し、これを情報Ｉに設定する。図３（ア）の家系図の三郎（本人）をクリックすると、図３（イ）に示すように、故人データを記録する画面に切り換わり、これに記録されるものを情報ＩＩに設定する。そして、次画面操作で図３（ウ）に示すメッセージを記録する画面に切り換わり、これに記録されるものを情報ＩＩＩに設定する。そして、情報の重要度は情報Ｉ、情報ＩＩ、情報ＩＩＩにいくに従って高くなるように設定されるものとする。
【００４３】
そして、ステップＳ１０８でこれら情報Ｉ〜ＩＩＩは記憶手段３に記憶される。次に、ステップＳ１０９で文字情報以外に情報の入力がある場合には、ステップＳ１０１に戻り、故人の肖像、墓石、墓地の全景等に関するイメージ情報の入力がある時には、ステップＳ１０４に進み、ステップＳ１０５でその情報の重要度または開示期限によってランク付けを行い、また、故人の肉声、お経等に関する音声情報の入力がある時には、ステップＳ１０６に進み、ステップＳ１０７でその情報の重要度または開示期限によってランク付けを行い、これら情報を前記同様、ステップＳ１０８で記憶手段３に記憶する。
【００４４】
このように墓参に関する文字情報、イメージ情報或いは音声情報は、キーボード及びビデオ入力装置等を有する前記各種の入力装置により入力され、これら情報には重要度または開示期限が付与されて、磁気ディスク及びビデオディスク等を有する記憶手段３に記憶される。
【００４５】
このように本モードでは、故人データ、家系データ、故人の肖像、墓石、墓地の全景、故人の肉声、お経等墓参に関する多大で、多種多用な各種情報が簡単に保管される。
【００４６】
次いで、情報出力の際に行われる処理について、図４のフローチャートに基づき説明する。
【００４７】
まず、ステップＳ４００で前記眼鏡型ディスプレイユニット５０で墓参者の虹彩を読み取り、Ｓ４０１において撮影された虹彩データが前記虹彩データベースに登録されているかを判定するとともに、登録されていると判定された場合には、ステップＳ４０１で墓参者が故人から何親等の人物かを判別する。すなわち墓参者本人認証を行う。
【００４８】
本実施例では、図５に示すように、墓参者を１親等〜３親等で判別し、Ｓ４０１に判定において登録されていると判定された場合にはステップＳ４０２に進み、登録されていないと判定された場合にはステップＳ４０９に進む。そして、ステップＳ４０９では、ステップＳ４０１における虹彩データベースに登録がされていないと判定された回数が２回以下の場合にはステップＳ４００に戻り再度実行を行うが、判定された回数が３回を越えると、本モードの操作は終了する。ここで、複数回墓参者の認証処理を行う目的としては、虹彩を撮影する際に眼鏡型ディスプレイユニット５０の位置がずれるなどして撮影を失敗した場合などを想定している。
【００４９】
なお、ここでは認証処理を複数回行うことができるような処理とされているが、本発明はこれに限定されるものではなく、認証作業を一度にして、認証に失敗した場合にはもう一度処理を最初から行うようにしても良い。
【００５０】
ステップＳ４０２では前記各情報が開示期限を過ぎているかを判別する。本実施の形態では、図５に示すように、墓参者が故人に対して１親等である場合には、情報Ｉの開示期限を西暦２０００年、情報ＩＩの開示期限を西暦２０１０年、情報ＩＩＩの開示期限を西暦２０２０年に設定し、墓参者が故人に対して２親等である場合には、情報Ｉの開示期限を西暦２０１０年、情報ＩＩの開示期限を西暦２０２０年、情報ＩＩＩの開示期限を西暦２０３０年に設定し、墓参者が故人に対して３親等である場合には、情報Ｉの開示期限を西暦２０２０年、情報ＩＩの開示期限を西暦２０３０年、情報ＩＩＩの開示期限を西暦２０４０年に設定している。そして、ステップＳ４０２で現時点が前記各情報の開示期限を過ぎている場合にはステップＳ４０３に進み、過ぎていない場合には本モードは終了する。
【００５１】
ステップＳ４０３では、ステップＳ４０１で判別された虹彩データベースに登録されていて、かつ、ステップ４０２で判別される開示期限に対応する特定の前記文字情報、イメージ情報或いは音声情報を情報読み出し手段４内の第１特定情報読み出し手段４ａ及び第２特定情報読み出し手段４ｂによって記憶手段３から読み出す。より詳しくは、図５に示すように、西暦２０００年にあっては、墓参者が故人に対して１親等である場合には、情報Ｉが読み出されるが、墓参者が故人に対して２親等、３親等である場合には、いかなる情報も読み出すことはできない。また、西暦２０２０年にあっては、墓参者が故人に対して１親等である場合には、情報Ｉ〜ＩＩＩが読み出されるが、墓参者が故人に対して２親等である場合には、情報Ｉ及びＩＩが読み出され、墓参者が故人に対して３親等である場合には、情報Ｉのみが読み出される。なお、前述同様、前記文字情報、イメージ情報或いは音声情報には、それぞれ前記各情報ごとにランク付けされている。
【００５２】
ステップＳ４０４では、ステップ４０３で特定された文字情報、イメージ情報或いは音声情報を選択し、ステップＳ４０５では文字情報を、ステップＳ４０６ではイメージ情報を、ステップＳ４０７では音声情報をそれぞれ出力し、ステップＳ４０８では前記各情報を単独に、あるいは複合的に表示手段６に表示する。
【００５３】
このように本発明の認証再生システムは、故人データ、家系データ等に関する文字情報または故人の肖像、墓石、墓地の全景等に関するイメージ情報或いは故人の肉声、お経等に関する音声情報を記憶する記憶手段３と、該記憶手段３に記憶されている前記文字情報、イメージ情報或いは音声情報を一定条件下で前記記憶手段３から読み出す情報読み出し手段４と、該情報読み出し手段４から読み出された前記文字情報、イメージ情報或いは音声情報を出力する眼鏡型ディスプレイユニット５０と、を具備する墓参システムにおいて、前記記憶手段３に記憶されている前記文字情報、イメージ情報或いは音声情報が、複数のランクに対応付けて登録されているとともに、重要度として墓参者が故人に対して何親等かを特定可能な情報である墓参者の虹彩のデータを受け付けて該墓参者が故人に対して何親等かを判定するための重要度判定手段７と、を備え、前記情報読み出し手段４は、該重要度判定手段７にて判定された墓参者の故人に対して何親等であるかに対応付けされている前記文字情報、イメージ情報或いは音声情報を読み出すとともに、前記出力手段６が、墓参者のみが出力情報を視聴することができるようにするための他者視聴防止機構として眼鏡型ディスプレイユニット５０を有することで、虹彩データを予め登録しておくことで、墓参者は登録されている虹彩データを読み取るのみで入手したい情報を入手することが出来るとともに、本来であれば出力を受けることのできないレベルの墓参者が出力情報を視聴することを極力防止することができる。
【００５４】
また、本実施例の認証再生システムは、前記文字情報、イメージ情報或いは音声情報の開示期限を判別する情報開示期限判別手段８を備えているとともに、前記情報読み出し手段４には、開示期限によってランク付けされている前記文字情報、イメージ情報或いは音声情報を前記情報開示期限判別手段８によって判別される開示期限に対応して読み出すことで、開示期限によってランク付けされている前記文字情報、イメージ情報或いは音声情報が、情報開示期限判別手段８によって判別される開示期限に対応して第２特定情報読み出し手段４ｂにより読み出される。したがって、前記各情報の開示期限が特定されているので、前記各情報の秘密度が保たれる。
【００５５】
なお、本実施例では、墓参者が故人から何親等であるかと、情報の開示期限とを組み合わせて二つの条件に合致した情報を出力するようになっているが、本発明はこれに限定されるものではなく、例えば、上記した二つの条件のうちどちらかの条件をクリアした場合に情報を開示するようにしてもよく、例えば、墓参者が故人に対して１親等である場合には、情報の開示期限に拘わらず、全ての情報を開示出力するようにしても良い。
【００５６】
以上、本発明の実施形態を図面によって説明してきたが、具体的な構成はこれら実施形態に限られるものではなく、本発明の要旨を逸脱しない範囲における変更や追加等があっても本発明に含まれる。
【００５７】
例えば、前記実施例では、文字情報としては故人データ、家系データ、イメージ情報としては故人の肖像、墓石、墓地の全景、音声情報としては故人の肉声、お経を例にしているが、この他にも、文字情報としては家訓、遺言、日記等、イメージ情報としてはアルバム、写真等、音声情報としては音声としての遺言等墓参に関する情報はすべて含まれる。
【００５８】
また、前記眼鏡型ディスプレイユニット５０には、スピーカ５３が設けられているが、このスピーカ５３内に耳骨振動マイクを設けるようにして、前記情報入力処理において声やメッセージなどの音声を入力できるようにしても良い。
【００５９】
また、前記実施例では出力手段６として眼鏡型ディスプレイユニット５０を設けるようになっているが、本発明はこれに限定されるものではなく、墓参者以外が情報を視聴できないようになっていればよいことから個室にＣＲＴ等の出力装置を設けて情報を視聴できるようになっていても良い。
【００６０】
また、前記実施例では個人認証に虹彩を用いるようになっているが、本発明はこれに限定されるものではなく、例えば、指紋や掌紋などの身体情報を用いて照合を行うようにしても良い。
【００６１】
また、前記実施例では、眼鏡型ディスプレイユニット５０を用いて故人に関する様々な情報を視聴できるようになっているが、本発明はこれに限定されるものではなく、例えば、映像や文字情報を眼鏡型ディスプレイユニット５０を用いて出力し、音声情報を別個のスピーカを設けるようにして該スピーカから音声情報を出力するようにしても良く、このようにすれば、故人に関する画像や文字情報を他人に見られることなく出力することが出来る。
【００６２】
また、映像や文字情報をＣＲＴなどの画面で出力するようにして、音声情報のみをイヤホンマイクで聞くようにしてもよく、このようにすれば、故人に関する音声によるメッセージを他人に聞かれることなく出力することが出来る。
【００６３】
また、前記実施例では、個人の情報の出力、及び墓参者の虹彩情報の読み取りに眼鏡型ディスプレイユニット５０を用いるようになっているが、本発明はこれに限定されるものではなく、例えば、図８に断面図を示すような、下部に上向きのディスプレイ６３を設け、その上部に略コーン形でコーンの上端部に開口を有する遮蔽部材７０ａが設けられた情報出力装置７０で、上部の開口から下を覗き込むようにしてディスプレイ６３の映像表示モジュール６２’に表示される故人の各情報を見ることが出来るようになっていてよく、このようにしても、眼鏡型ディスプレイユニット５０を用いて個人の情報を表示するのと同様に墓参者だけが出力される情報を視聴することが出来る。
【００６４】
また、前記実施例では、故人の情報を出力する墓参システムとして説明されているが、本発明はこれに限定されるものではなく、本発明の認証再生システムを例えば、銀行等金融機関のＡＴＭサービスに適用して、入力される暗証番号の代わりに虹彩の画像を本人認証情報として使用するようにしてもよく、また、口座の残高を照会する場合には、本人認証の終了後に前記眼鏡型ディスプレイユニット５０に口座の残高を表示するようにしてもよい。
【００６５】
また、ＡＴＭサービスだけではなく、秘匿性の高い情報、例えば戸籍情報を表示するための認証再生システムとして利用するようにしてもよく、このようにすれば、従来であれば秘匿性の高い情報を閲覧するには本人認証が実施された後に、個別に用意されたブースなどを用いて閲覧するようになっていたが、前記実施例において設けられた眼鏡型ディスプレイユニット５０を用いるようにすれば、認証を実施した後に、そのまま情報が出力されるようになることから、個別のブースなどを設けずに省スペースとすることができ、被認証者のプライバシーが極力守られるようになる。
【００６６】
また、前記実施例では、情報表示手段として眼鏡型ディスプレイユニット５０を用いて、画像情報、文字情報、音声情報を出力するようになっているが、本発明はこれに限定されるものではなく、例えば、画像や文字情報のみを出力するような出力装置や、また音声のみを出力できるヘッドホンなどの出力装置を適用するようにしても良い。また、これらの装置を組み合わせて使用するようにしても良い。
【００６７】
【発明の効果】
本発明は次の効果を奏する。
（ａ）請求項１の発明によれば、身体情報を予め登録しておくことで、被認証者が所定の操作をするだけで自動的に身体情報が読み取られ、被認証者が入手したい情報を入手出来るとともに、他者視聴防止機構により入手した情報を他者に見られてしまうことを極力防止できる。
【００６８】
（ｂ）請求項２の発明によれば、個別に身体情報を読み取るための操作を必要とせず、被認証者は眼鏡型ディスプレイユニットを装着するのみで、虹彩による認証が実施されるため、被認証者の利便性を向上できる。
【００６９】
（ｃ）請求項３の発明によれば、被認証者以外の他者が出力映像や音声を視聴することを、著しく低減できるばかりか、故人の出力映像や音声を周囲の状況に惑わされることなく、集中して視聴できる。
【００７０】
（ｄ）請求項４の発明によれば、前記眼鏡型ディスプレイユニットを装着するのみでより簡便に虹彩の画像を入手することができる。
【図面の簡単な説明】
【図１】本発明の実施形態を示す墓参システムのブロック図である。
【図２】本発明の実施形態を示す墓参システムの情報入力のフローチャートである。
【図３】本発明の実施形態を示す墓参システムの情報入力のイメージ図である。
【図４】本発明の実施形態を示す墓参システムの情報出力のフローチャートである。
【図５】情報出力のイメージ図である。
【図６】本実施例で適用された眼鏡型ディスプレイユニットを示す図である。
【図７】本実施例で適用された眼鏡型ディスプレイユニットの構成を示す断面図である。
【図８】本発明の変形例である情報出力装置を示す断面図である。
【符号の説明】
３　　　記憶手段（照合用記憶手段）
４　　　情報読み出し手段
４ａ　　第１特定情報読み出し手段
４ｂ　　第２特定情報読み出し手段
６　　　出力手段
７　　　重要度判定手段（認証手段）
８　　　情報開示期限判別手段
９　　　プリンタ
２０　　中央制御装置
３０　　端末装置
５０　　眼鏡型ディスプレイユニット
５０ａ　外装
５０ｂ　透明窓
５１　　入出力部
５２　　柄部
５３　　スピーカ
５４　　映像音声信号用ケーブル
５５　　液晶パネル
５６　　バックライト
５７　　ハーフミラー
５８　　ＣＣＤカメラ
５９　　ＬＥＤ
６０　　基板
６２　　映像表示モジュール
６２’　映像表示モジュール
６３　　ディスプレイ
７０　　情報出力装置
７０ａ　遮蔽部材
７１　　パッド
７２　　検出センサ
【図１】
2004054496.tif 000003
【図２】
2004054496.tif 000004
【図３】
2004054496.tif 000005
【図４】
2004054496.tif 000006
【図５】
2004054496.tif 000007
【図６】
2004054496.tif 000008
【図７】
2004054496.tif 000009
【図８】
2004054496.tif 000010